(57)【要約】【課題】着用時にベルト部材が本体部から離脱し難い低体重児用のおむつを提供する。【解決手段】吸収体（２１）よりも非肌側に配された外装シート（２４）と、幅方向の一方側及び他方側に係止部材（３１）を備えたベルト部材（３０）と、を有する低体重児用おむつ（１）であって、前記ベルト部材（３０）は、前記一方側の前記係止部材（３１）によって前記外装シート（２４）の非肌側に係止されており、前記ベルト部材（３０）の前記一方側の領域には、前記ベルト部材の一部を剥離可能に前記外装シート（２４）と接合する追加接合部（７０）が設けられている。【選択図】図５
2020000906.tif 000002
【特許請求の範囲】
【請求項１】
互いに交差する長手方向と幅方向とを有し、
吸収体よりも非肌側に配された外装シートと、
前記幅方向の一方側及び他方側に係止部材を備えたベルト部材と、
を有する低体重児用おむつであって、
前記ベルト部材は、前記一方側の前記係止部材によって前記外装シートの非肌側に係止されており、
前記ベルト部材の前記一方側の領域には、前記ベルト部材の一部を剥離可能に前記外装シートと接合する追加接合部が設けられている、
ことを特徴とする低体重児用おむつ。
【請求項２】
請求項１に記載の低体重児用おむつであって、
前記長手方向において、前記ベルト部材の中央よりも外側に前記追加接合部が設けられている、ことを特徴とする低体重児用おむつ。
【請求項３】
請求項１または２に記載の低体重児用おむつであって、
前記一方側の前記係止部材と重複した位置に前記追加接合部が設けられている、ことを特徴とする低体重児用おむつ。
【請求項４】
請求項３に記載の低体重児用おむつであって、
前記幅方向において、前記一方側の前記係止部材の両端部に一対の前記追加接合部が設けられている、ことを特徴とする低体重児用おむつ。
【請求項５】
請求項４に記載の低体重児用おむつであって、
前記一方側の前記係止部材の、前記長手方向の外側端、かつ、前記幅方向の両端と重複する位置に、前記追加接合部が設けられている、ことを特徴とする低体重児用おむつ。
【請求項６】
請求項１または２に記載の低体重児用おむつであって、
前記一方側の前記係止部材と重複していない位置に前記追加接合部が設けられている、ことを特徴とする低体重児用おむつ。
【請求項７】
請求項６に記載の低体重児用おむつであって、
前記幅方向において、前記一方側の前記係止部材の内側端よりも内側及び前記一方側の前記係止部材の外側端よりも外側に、前記追加接合部が設けられている、ことを特徴とする低体重児用おむつ。
【請求項８】
請求項７に記載の低体重児用おむつであって、
前記幅方向において、
前記ベルト部材の内側端と、前記一方側の前記係止部材の内側端よりも内側の前記追加接合部の中心位置との間の距離は、
前記一方側の前記係止部材の内側端よりも内側の前記追加接合部の中心位置と、前記一方側の前記係止部材の内側端との間の距離よりも大きい、
ことを特徴とする低体重児用おむつ。
【請求項９】
請求項７または８に記載の低体重児用おむつであって、
前記幅方向において、
前記外装シートの外側端と、前記一方側の前記係止部材の外側端よりも外側の前記追加接合部の中心位置との間の距離は、
前記一方側の前記係止部材の外側端と、前記一方側の前記係止部材の外側端よりも外側の前記追加接合部の中心位置との間の距離よりも大きい、
ことを特徴とする低体重児用おむつ。
【請求項１０】
請求項１〜９のいずれか１項に記載の低体重児用おむつであって、
前記長手方向において、前記ベルト部材に対して占めている前記追加接合部の長さの合計は、
前記幅方向において、前記ベルト部材に対して占めている前記追加接合部の長さの合計よりも短い、ことを特徴とする低体重児用おむつ。
【請求項１１】
請求項１０に記載の低体重児用おむつであって、
各々の前記追加接合部の前記長手方向における長さは、
各々の前記追加接合部の前記幅方向における長さよりも短い、ことを特徴とする低体重児用おむつ。
【発明の詳細な説明】
【技術分野】
【０００１】
本発明は、低体重児用おむつに関する。
【背景技術】
【０００２】
従来、オープンタイプの使い捨ておむつが広く用いられている。オープンタイプの使い捨ておむつでは、おむつ本体（例えば吸収性本体）の左右に設けられたベルト部材（例えばファスニングテープやストラップ）の両端部を、おむつ本体の腹側と背側とにそれぞれ係止させることで、おむつの着用を行う。特許文献１には、背側と腹側のどちら側にも着脱できるファスナー（係止部材）が設けられたストラップ（ベルト部材）を有する使い捨て吸収性衣類（おむつ）が開示されている。
【先行技術文献】
【特許文献】
【０００３】
【特許文献１】特開Ｈ６−２１８００９号公報
【発明の概要】
【発明が解決しようとする課題】
【０００４】
特許文献１の使い捨ておむつによれば、腹側及び背側においてベルト部材が着脱可能であるため、おむつの着脱動作が容易になる。例えば、親が乳幼児におむつを着脱させる際に、乳幼児が俯せの姿勢で寝ている場合でも仰向けの姿勢で寝ている場合でも、腹側及び背側のどちらからでも簡単に着脱動作を行うことができる。
しかしながら、おむつを着用させる動作において、ベルト部材に設けられた係止部材の一部がおむつ本体から剥がれると、当該剥がれた係止部材が、乳幼児の衣類や乳幼児が寝ているマット等に引っかかって互いに係合してしまい、そのままおむつ本体からベルト部材が完全に離脱してしまうおそれがある。特に、おむつの着用対象者が低体重児である場合、おむつ着用動作時の負担を低減するために身体をなるべく動かさないようにする必要があるところ、おむつ本体からベルト部材が簡単に離脱してしまうと、おむつを着用させることが困難になる。
本発明は、上記のような問題に鑑みてなされたものであって、その目的とするところは、着用時にベルト部材が本体部から離脱し難い低体重児用のおむつを提供することにある。
【課題を解決するための手段】
【０００５】
上記目的を達成するための主たる発明は、
互いに交差する長手方向と幅方向とを有し、吸収体よりも非肌側に配された外装シートと、前記幅方向の一方側及び他方側に係止部材を備えたベルト部材と、を有する低体重児用おむつであって、前記ベルト部材は、前記一方側の前記係止部材によって前記外装シートの非肌側に係止されており、前記ベルト部材の前記一方側の領域には、前記ベルト部材の一部を剥離可能に前記外装シートと接合する追加接合部が設けられている、ことを特徴とする低体重児用おむつである。
【０００６】
本発明の他の特徴については、本明細書及び添付図面の記載により明らかにする。
【発明の効果】
【０００７】
本発明によれば、着用時にベルト部材が本体部から離脱し難い低体重児用のおむつを提供することができる。
【図面の簡単な説明】
【０００８】
【図１】おむつ１を展開かつ伸長させた状態について表す平面図である。
【図２】図２Ａは、おむつ１の後部７の概略断面について表した分解説明図である。図２Ｂは、おむつ１の股下部５の概略断面について表した分解説明図である。
【図３】図３Ａ及び図３Ｂは、おむつ１の着用状態について示す図である。
【図４】図４Ａ及び図４Ｂは、比較例のおむつ１００を、低体重児に着用させる動作について説明する図である。
【図５】追加接合部７０の配置について説明する拡大平面図である。
【図６】おむつ１を、低体重児に着用させる動作について説明する図である。
【図７】図７Ａ〜図７Ｃは、追加接合部７０の変形例について表す概略平面図である。
【図８】追加接合部７０が幅方向において内側係止部材３１Ａの両外側に設けられている場合について示す概略平面図である。
【図９】展開かつ伸長させた状態のおむつ２について表す平面図である。
【図１０】おむつ２の後部７の分解説明図である。
【発明を実施するための形態】
【０００９】
本明細書及び添付図面の記載により、少なくとも以下の事項が明らかとなる。
互いに交差する長手方向と幅方向とを有し、吸収体よりも非肌側に配された外装シートと、前記幅方向の一方側及び他方側に係止部材を備えたベルト部材と、を有する低体重児用おむつであって、前記ベルト部材は、前記一方側の前記係止部材によって前記外装シートの非肌側に係止されており、前記ベルト部材の前記一方側の領域には、前記ベルト部材の一部を剥離可能に前記外装シートと接合する追加接合部が設けられている、ことを特徴とする低体重児用おむつ。
【００１０】
このような低体重児用おむつによれば、追加接合部によってベルト部材と外装シートとの係止が強くなっているため、低体重児におむつを着用させる際に、外装シートから係止部材が剥がれ難くなり、ベルト部材がおむつの本体部（外装シート）から離脱してしまうことを抑制しやすくなる。
【００１１】
かかる低体重児用おむつであって、前記長手方向において、前記ベルト部材の中央よりも外側に前記追加接合部が設けられている、ことが望ましい。
【００１２】
このような低体重児用おむつによれば、マット等の上に寝ている低体重児の身体とマットとの間におむつを挿入する動作において、挿入先端部分付近における係止が剥がれ難くなり、ベルト部材が捲れてしまうことが抑制される。これにより、ベルト部材をより離脱し難くすることができる。
【００１３】
かかる低体重児用おむつであって、前記一方側の前記係止部材と重複した位置に前記追加接合部が設けられている、ことが望ましい。
【００１４】
このような低体重児用おむつによれば、係止部材（ベルト部材）と外装シートとの係止がより強固になるため、おむつの本体部からベルト部材が離脱してしまうことをより抑制しやすくすることができる。
【００１５】
かかる低体重児用おむつであって、前記幅方向において、前記一方側の前記係止部材の両端部に一対の前記追加接合部が設けられている、ことが望ましい。
【００１６】
このような低体重児用おむつによれば、係止部材の角（かど）の部分において、外装シートとの係止がより強固になる。したがって、低体重児におむつを着用させる動作において、係止部材の角の部分が剥がれの起点となってしまうことが抑制され、ベルト部材を離脱し難くすることができる。
【００１７】
かかる低体重児用おむつであって、前記一方側の前記係止部材の、前記長手方向の外側端、かつ、前記幅方向の両端と重複する位置に、前記追加接合部が設けられている、ことが望ましい。
【００１８】
このような低体重児用おむつによれば、係止部材の角（かど）において、係止部材と外装シートとの間に隙間が形成され難くなるため、当該角が係止部材の剥がれの起点になりにくく、おむつの本体部からベルト部材をより離脱し難くすることができる。
【００１９】
かかる低体重児用おむつであって、前記一方側の前記係止部材と重複していない位置に前記追加接合部が設けられている、ことが望ましい。
【００２０】
このような低体重児用おむつによれば、係止部材の表面のフックが、溶着によって傷ついたり潰れたりすることが抑制される。したがって、おむつの外装シートからベルト部材を剥がした後で、外装シートにベルト部材を再度係止させる場合であっても、係止力が弱くなり難い。
【００２１】
かかる低体重児用おむつであって、前記幅方向において、前記一方側の前記係止部材の内側端よりも内側及び前記一方側の前記係止部材の外側端よりも外側に、前記追加接合部が設けられている、ことが望ましい。
【００２２】
このような低体重児用おむつによれば、幅方向において係止部材の両側端付近においてベルト部材と外装シートとが接合されるため、低体重児におむつを着用させる際に、外装シートから係止部材が剥がれ難くなる。これにより、おむつの本体部からベルト部材が離脱してしまうことをより抑制しやすくすることができる。
【００２３】
かかる低体重児用おむつであって、前記幅方向において、前記ベルト部材の内側端と、前記一方側の前記係止部材の内側端よりも内側の前記追加接合部の中心位置との間の距離は、前記一方側の前記係止部材の内側端よりも内側の前記追加接合部の中心位置と、前記一方側の前記係止部材の内側端との間の距離よりも大きい、ことが望ましい。
【００２４】
このような低体重児用おむつによれば、幅方向において係止部材の内側端により近い位置にベルト部材と外装シートとの接合部（追加接合部）が設けられる。したがって、低体重児におむつを着用させる際に、係止部材の内側端部が外装シートから剥がれ難くなる。これにより、おむつの本体部からベルト部材が離脱してしまうことをより抑制しやすくすることができる。
【００２５】
かかる低体重児用おむつであって、前記幅方向において、前記外装シートの外側端と、前記一方側の前記係止部材の外側端よりも外側の前記追加接合部の中心位置との間の距離は、前記一方側の前記係止部材の外側端と、前記一方側の前記係止部材の外側端よりも外側の前記追加接合部の中心位置との間の距離よりも大きい、ことが望ましい。
【００２６】
このような低体重児用おむつによれば、幅方向において係止部材の外側端により近い位置にベルト部材と外装シートとの接合部（追加接合部）が設けられる。したがって、低体重児におむつを着用させる際に、係止部材の外側端部が外装シートから剥がれ難くなる。これにより、おむつの本体部からベルト部材が離脱してしまうことをより抑制しやすくすることができる。
【００２７】
かかる低体重児用おむつであって、前記長手方向において、前記ベルト部材に対して占めている前記追加接合部の長さの合計は、前記幅方向において、前記ベルト部材に対して占めている前記追加接合部の長さの合計よりも短い、ことが望ましい。
【００２８】
このような低体重児用おむつによれば、ベルト部材の長手方向において追加接合部によって接合されている領域が小さいため、ベルト部材を幅方向に沿って引っ張った時には、追加接合部が剥がれやすい。一方、ベルト部材の幅方向において追加接合部によって接合されている領域が大きいため、ベルト部材を長手方向に沿って引っ張った時には、追加接合部が剥がれ難い。したがって、おむつを着用させる際に長手方向に沿った力が作用してもベルト部材はおむつの本体部から離脱し難く、おむつを脱がせる際に幅方向に沿った力が作用した時にはベルト部材をおむつの本体部から離脱させやすくなる。
【００２９】
かかる低体重児用おむつであって各々の前記追加接合部の前記長手方向における長さは、各々の前記追加接合部の前記幅方向における長さよりも短い、ことが望ましい。
【００３０】
このような低体重児用おむつによれば、各々の追加接合部は、ベルト部材を幅方向に沿って引っ張った時に剥がれやすく、ベルト部材を長手方向に沿って引っ張った時には剥がれ難くなる。したがって、おむつを着用させる際に長手方向に沿った力が作用してもベルト部材はおむつの本体部からより離脱し難く、おむつを脱がせる際に幅方向に沿った力が作用した時にはベルト部材をおむつの本体部からより離脱させやすくなる。
【００３１】
＝＝＝実施形態＝＝＝
＜使い捨ておむつ１の基本構成＞
本実施形態の使い捨ておむつ１（以下、単におむつ１とも呼ぶ）は、主に新生児や乳幼児を着用対象とした低体重児用使い捨ておむつであり、体重が３０００ｇ以下の低体重児、特に体重が２５００ｇ未満の低出生体重児に好適に用いられる。なお、低体重児には、低出生体重児（体重２５００ｇ未満）だけでなく、極低出生体重児用（体重１５００ｇ未満）や超低出生体重児用（体重１０００ｇ未満）も含まれる。
【００３２】
図１は、おむつ１を展開かつ伸長させた状態について表す平面図である。図２Ａは、おむつ１の後部７の概略断面について表した分解説明図である。図２Ｂは、おむつ１の股下部５の概略断面について表した分解説明図である。なお、おむつ１を展開かつ伸長させた状態とは、おむつ１の展開状態において、おむつ１に生じていた皺が実質的に視認されなくなる程に伸長させた状態であり、おむつ１を構成する各部材（例えば後述するトップシート２２等）の寸法がその部材単体の寸法と一致又はそれに近い長さになるまでおむつ１が伸長した状態である。
【００３３】
本実施形態のおむつ１は、所謂オープンタイプの使い捨ておむつであり、図１に示すように、前部３と、股下部５と、後部７とを有する。前部３は、着用者の前部（腹側、前胴回り）に位置することになる部分である。また、後部７は、着用者の後部（背側、後胴回り）に位置することになる部分である。但し、前部３及び後部７は便宜上の定義であり、おむつ１は前部３と後部７とを入れ替えて使用（着用）することも可能である。すなわち、後部７が着用者の腹側に、前部３が着用者の背側に位置しても良い。股下部５は、前部３と後部７との間に位置することになる部分である。
【００３４】
以下の説明では、図１に示すように、各方向を定義する。すなわち、前部３から後部７に向かう方向を「長手方向」とし、長手方向と直交する方向を「幅方向」とする。図１に示されているＣＬは、長手方向におけるおむつ１の中心を示す線である。また、図２に示すように、長手方向及び幅方向と直交する方向を「厚さ方向」とし、着用者の肌の側を「肌側」とし、その逆側を「非肌側」とする。
【００３５】
おむつ１は、本体部１０と、ベルト部材３０とを有する。
【００３６】
（本体部１０）
本体部１０は、着用者によって排泄された尿等の液体を吸収し保持する部位であり、図１に示されるように前部３、股下部５及び後部７によって構成された平面視略長方形状の形状である。本体部１０は、主に、吸収体２１、トップシート２２、防漏シート２３及びバックシート２４、及びサイドシート２６を有する（図２Ａ及び図２Ｂ参照）。
【００３７】
吸収体２１は、尿等の排泄物を吸収することが可能な液体吸収性素材を積層してなる吸収性コア２１ａを有し、前部３、股下部５及び後部７にわたって配置されている。図１の砂地で表示された領域は、吸収性コア２１ａの占める領域を示している。本実施形態の吸収体２１（吸収性コア２１ａ）は、長手方向に長い略長方形状を有する。但し、吸収体２１の形状は、図１に示す形状に限定されるものではなく、少なくとも股下部５に設けられていれば良い。また、吸収性コア２１ａがコアラップシート２１ｂによって覆われることによって吸収体２１が構成されているのであっても良い。
【００３８】
本実施形態の吸収体２１は、厚さ方向においてトップシート２２及び防漏シート２３に挟まれて配置されている。吸収体２１を構成する液体吸収性素材としては、例えばパルプ繊維等の液体吸収性繊維や、高吸収性ポリマー等の液体吸収性粒状物を使用することができる。また、液体吸収性繊維及び液体吸収性粒状物以外の液体吸収性素材を含んでいても良い。
【００３９】
トップシート２２は、吸収体２１の肌側に配置された液透過性の部材であり、例えば不織布によって形成されている。防漏シート２３は、吸収体２１の非肌側に配置された液不透過性の部材であり、例えば、樹脂製のフィルムシートによって形成されている。バックシート２４は、おむつ１の非肌側の外装を構成する部材（外装シート）であり、例えば不織布で構成されている。防漏シート２３の非肌側にはバックシート２４が配置されている（図２Ａ及び図２Ｂ参照）。
【００４０】
本体部１０のうち少なくとも股下部５には、サイドシート２６とバックシート２４（図２Ｂではトップシート２２）との間に、長手方向に伸縮可能な脚回り弾性部材２５（例えば糸ゴム）が設けられている（図２Ｂ参照）。脚回り弾性部材２５は、股下部５において本体部１０に伸縮性を付与する部材である。本実施形態では、長手方向に伸長させた状態で脚回り弾性部材２５が取り付けられる。これにより、脚回り弾性部材２５は本体部１０に対して長手方向に沿った収縮力を発現する。おむつ１の着用時においては、股下部５が長手方向に沿って収縮することにより、本体部１０が着用者の身体に沿って丸みを帯びた形状に立体的に変形するとともに、本体部１０の幅方向両側部を収縮させ、着用者の脚繰りに沿ったレッグギャザーを形成させる。これにより、本体部１０が着用者の股間部を包み込むような形状で保持されるようになり、おむつ１のフィット感を向上する。また、着用者の脚繰りから排泄物がおむつ１の外部に漏れることを抑制しやすくなる。
【００４１】
サイドシート２６は、トップシート２２よりも厚さ方向の肌側かつ、幅方向の両側に一対設けられた部材であり、例えば不織布によって形成されている。サイドシート２６は、幅方向の外側端部領域においてトップシート２２及びバックシート２４と厚さ方向に接合されている。また、図２Ａ及び図２Ｂに示されるように、サイドシート２６は、幅方向の内側端２６ｅｉにおいて内側から外側に折り返され、当該折り返された部分が厚さ方向に折り重ねられている。そして、折り重ねられたサイドシート２６，２６の厚さ方向の間には、長手方向に沿って伸縮可能なＬＳＧ弾性部材２７（例えば糸ゴム）が設けられている。ＬＳＧ弾性部材２７は、股下部５においてサイドシート２６に伸縮性を付与する部材である。本実施形態では、長手方向に伸長させた状態でＬＳＧ弾性部材２７が取り付けられており、ＬＳＧ弾性部材２７は長手方向に沿った収縮力を発現する。おむつ１の着用時においては、ＬＳＧ弾性部材２７が長手方向に沿って収縮することにより、サイドシート２６のうちトップシート２２（バックシート２４）と接合されていない部分が着用者の肌側に立ち上がり、該サイドシート２６が排泄物等の横漏れを抑制する防漏壁として機能する。
【００４２】
（ベルト部材３０）
ベルト部材３０は、おむつ１の後部７（背側）において本体部１０の幅方向の両側部に配置されている（図１参照）。本実施形態のベルト部材３０は、幅方向の一方側（内側）及び他方側（外側）にそれぞれ係止部材３１を備え、当該係止部材３１をおむつ１の外装シート（バックシート２４）に係止させることが可能である。係止部材３１は、厚さ方向に突出した複数のフックを有する部材であり、例えば面ファスナー等によって構成される。係止部材３１のフック（不図示）がおむつ１の外装シート（バックシート２４）を構成する不織布の表面の繊維に引っかかることにより、該係止部材３１を介してベルト部材３０が本体部１０（外装シート）に係止される。
【００４３】
図１及び図２に示されるように、本実施形態のベルト部材３０は幅方向の一方側（内側）及び他方側（外側）にそれぞれ係止部材３１を有している。したがって、ベルト部材３０は幅方向のどちら側でもおむつ１の外装シート（バックシート２４）に係止させることができる。以下、幅方向の内側に設けられている係止部材３１を内側係止部材３１Ａ、幅方向の外側に設けられている係止部材３１を外側係止部材３１Ｂとも呼ぶ。図２では、幅方向の内側に配置された内側係止部材３１Ａによって、ベルト部材３０がバックシート２４（外装シート）の非肌側に係止されている。また、ベルト部材３０とバックシート２４（外装シート）とは、追加接合部７０によって接合されている。追加接合部７０の詳細については後で説明する。
【００４４】
おむつ１の着用時には、幅方向の外側に配置された外側係止部材３１Ｂを、本体部１０の前部３（腹側）においてバックシート２４（外装シート）の非肌側に係止させることにより、おむつ１の胴回り開口及び一対の脚回り開口が形成され、着用者の身体（胴）に対しておむつ１の位置を固定することができる（図３Ａ及び図３Ｂ参照）。なお、おむつ１の前部３において、バックシート２４の幅方向中央部かつ厚さ方向の非肌側の領域に、外側係止部材３１Ｂを係止させやすくするためのターゲットテープ（不図示）が設けられていても良い。また、おむつ１の着用時には、幅方向両側に設けられているベルト部材３０のうち一方側のベルト部材３０の非肌側面に、他方側のベルト部材３０の外側係止部材３１Ｂを係止させることによって胴回り開口が形成されるのであっても良い。
【００４５】
本実施形態の低体重児用のおむつ１の長手方向の製品長（製品を長手方向に皺なく伸長させた状態での寸法）は、１７０〜３３０ｍｍの範囲である。例えば、体重２５００ｇ未満の低出生体重児用のおむつ１の製品長は３１０ｍｍであり、体重１５００ｇ未満の極低出生体重児用のおむつ１の場合の製品長は２７０ｍｍであり、体重１０００ｇ未満の超低出生体重児用のおむつ１の場合の製品長は１７０ｍｍである。
【００４６】
また、本実施形態における低体重児用のおむつ１のウェスト寸法は、１６０〜２９５ｍｍの範囲である。なお、ウェスト寸法は、一方のベルト部材３０の幅方向外側端部を他方のベルト部材３０の幅方向内側端部に合わせた状態で、皺なく製品を伸ばした状態での寸法である。すなわち、製品を幅方向に伸長させた状態での寸法である。例えば、低出生体重児用のおむつ１のウェスト寸法は２７３．５ｍｍであり、体重１５００ｇ未満の極低出生体重児用のおむつ１の場合のウェスト寸法は２２０ｍｍである。
【００４７】
＜おむつ１の着用動作について＞
続いて、着用対象者である低体重児におむつ１を着用させる際の動作について説明する。図３Ａ及び図３Ｂは、おむつ１の着用状態について示す図である。
【００４８】
おむつ１のようなオープンタイプの使い捨ておむつを着用させる際には、まず、展開状態のおむつ１の後部７を着用対象者の背部に配置し、股下部５を股間部に、前部３を腹部にあてがう。そして、後部７（背側）において本体部１０の幅方向両側に係止されている一対のベルト部材３０を、着用者の胴回りに沿って背側から腹側に回しこむようにして、前部３（腹側）の非肌側に外側係止部材３１Ｂを係止させ、着用者の胴回りに固定する。これにより、図３Ａのように、着用対象者におむつ１を着用させることができる。逆に、おむつ１を脱がせる際には、着用時の動作とは逆に、前部３（腹側）においてバックシート２４（外装シート）に係止されている外側係止部材３１Ｂを剥がして、胴回りの固定を開放することにより、簡単におむつ１を取り外すことができる。
【００４９】
ところで、本実施形態のおむつ１が着用対象としている低体重児は、一般に、病院等において保育器の中で育成されている。そのため、低体重児のおむつを着脱させる際には、作業者（おむつを低体重児に着脱させる人）は、保育器に設けられた作業用の窓から手を通して、狭いスペース内で作業を行う必要がある。また、低体重児は、保育器内において、図３Ｂに示すように背中をＣ字型に丸くカーブさせ、脚をＭ字型に強く曲げた俯せの姿勢を保持している場合がある。この姿勢は、母体内での胎児の姿勢（胎児様屈曲姿勢）に近く、安静させやすい姿勢であり「ポジショニング姿勢」とも呼ばれる。そして、低体重児がポジショニング姿勢を取っている場合、外側係止部材３１Ｂは図３Ｂのように着用者（低体重児）の腹の下側で係止されている。
【００５０】
したがって、従来、保育器内でポジショニング姿勢を取っている低体重児のおむつを交換する作業を行う場合、作業者は、狭いスペース内で、低体重児の腹の下に手を入れてベルト部材３０の外側係止部材３１Ｂを剥がす必要があった。これに対して、本実施形態のおむつ１では、ベルト部材３０の内側係止部材３１Ａをバックシート２４（外装シート）から剥がすことができる。そのため、図３Ｂにおいて、作業者は低体重児の背側から内側係止部材３１Ａを簡単に剥がすことができる。これにより、低体重児に姿勢を変えさせる等の負担をかけることなく、おむつの交換を行うことができる。さらに、本実施形態のおむつ１は、前部３が背側、後部７が腹側となるように、前後を逆にして着用させることも可能であるため、低体重児がどのような姿勢で寝ていても、身体を動かさずにおむつ１の着脱動作を行いやすく、低体重児に好適である。
【００５１】
一方、おむつ１のようにベルト部材が幅方向両側の係止部材によって本体部に係止されている構造のおむつでは本体部に係止されている係止部材が、着用動作時に意図せず剥がれてしまい、ベルト部材が本体部から離脱してしまう場合がある。図４Ａ及び図４Ｂは、比較例のおむつ１００を、低体重児に着用させる動作について説明する図である。比較例のおむつ１００は、ベルト部材３０と本体部１０とを接合する追加接合部７０を有していない。すなわち、ベルト部材３０は面ファスナー等の内側係止部材３１Ａによって外装シート（バックシート２４）に係止されているだけであり、ベルト部材３０（内側係止部材３１Ａ）は外装シートから簡単に剥がすことが可能である。比較例のおむつ１００において、追加接合部７０以外の他の構成は本実施形態のおむつ１と同様である。
【００５２】
図４Ａは、マット上に仰向けに寝ている低体重児におむつ１００を着用させる動作を、横方向から見た場合について表している。先ず、低体重児の背部におむつ１００の後部７を配置する動作が行われる。具体的には、展開した状態のおむつ１００の後部７を低体重児の股下側から、低体重児の身体とマットとの間に挿入する動作が行われる。このとき、低体重児への身体的負担を少なくするため、低体重児の身体を持ち上げるのではなく、おむつ１００をマット側（すなわち鉛直下側）に押し込みながら、おむつ１００の後部７が低体重児の背部とマットとの間に挿入される。
【００５３】
おむつ１００がマット側に押し込まれることにより、ベルト部材３０とマットとの間に摩擦力が作用しやすくなり、長手方向においてベルト部材３０の外側端が図４Ｂのように捲れて係止部材３１（内側係止部材３１Ａ）の一部がバックシート２４（外装シート）から剥がれてしまう場合がある。そして、外装シートから剥がれた内側係止部材３１Ａはマットと係合し、おむつ１００がそのまま低体重児の背部に挿入されることにより、内側係止部材３１Ａの全体がバックシート２４から剥がれ、ベルト部材３０が本体部１０から完全に離脱してしまうおそれがある。ベルト部材３０が離脱した場合、係止部材３１を本体部１０（バックシート２４）に再度係止させて図４Ａの動作からやり直す必要が生じ、低体重児の身体に負担がかかってしまう。
【００５４】
＜追加接合部７０について＞
これに対して、本実施形態のおむつ１では、ベルト部材３０と本体部１０のバックシート２４（外装シート）との間に追加接合部７０が設けられていることによって、おむつ１の着用動作時に、ベルト部材３０が本体部１０から離脱してしまうことを抑制することができる。図５は、追加接合部７０の配置について説明する拡大平面図である。
【００５５】
追加接合部７０は、公知の溶着手段（例えばヒートシールやソニックシール）によってベルト部材３０の一部をバックシート２４（外装シート）と接合することによって形成される。図５では、長手方向においてベルト部材３０の中央よりも外側、かつ、幅方向において内側係止部材３１Ａの両端部に、黒丸で示される一対の追加接合部７１，７１が設けられている。一対の追加接合部７１，７１は、図５において、長手方向における長さＬ７１と幅方向における長さＷ７１とがほぼ等しい略円形（ドット型）の形状である。また、一対の追加接合部７１，７１は、長手方向において同じ位置に配置されている。但し、追加接合部７１，７１の形状はこの限りでなはく、互いに異なる形状を有していても良い。また、追加接合部７１，７１の長手方向における位置がずれていても良い。
【００５６】
なお、図５では、長手方向においてベルト部材３０の中央よりも内側に白丸で示される追加接合部７２，７２が設けられている。追加接合部７１に加えて追加接合部７２が設けられることにより、おむつ１の着用動作においてベルト部材３０をより離脱しにくくすることができるが、該追加接合部７２は必ずしも設けられていなくても良い。
【００５７】
この追加接合部７０が設けられていることにより、おむつ１の着用動作において、ベルト部材３０が本体部１０の外装シート（バックシート２４）から剥がれ難くなる。図６は、本実施形態のおむつ１を、低体重児に着用させる動作について説明する図である。同図６は、比較例のおむつ１００の着用動作について説明した図４Ｂに対応する図である。
【００５８】
仰向けの姿勢で寝ている低体重児におむつ１を着用させる場合、図４Ａで説明したのと同様に、展開した状態のおむつ１の後部７が、低体重児の股下側から低体重児の身体とマットとの間に挿入される。このとき、ベルト部材３０の長手方向の外側位置（すなわち、おむつ１を挿入する動作における先端部付近）においてベルト部材３０と本体部１０とが追加接合部７１によって接合されているため、図４Ｂのように長手方向においてベルト部材３０の外側端が捲れてしまうことが抑制される。したがって、内側係止部材３１Ａが外装シート（バックシート２４）から剥がれ難くなり、おむつ１の着用動作を通してベルト部材３０が本体部１０から離脱することが抑制される。なお、図５では長手方向においてベルト部材３０の中央よりも外側に追加接合部７０（７１）が設けられているが、長手方向の中央若しくは内側に追加接合部７０（例えば図５における追加接合部７２）が設けられている場合であっても、ベルト部材３０が本体部１０から離脱し難くなるという効果は得られる。
【００５９】
また、図５では内側係止部材３１Ａと重複するように追加接合部７１（７０）が設けられているため、内側係止部材３１Ａと外装シート（バックシート２４）との係止がより強固になり、ベルト部材３０がより離脱し難くなっている。
【００６０】
また、追加接合部７０が設けられる位置は、内側係止部材３１Ａの外周縁になるべく近い位置であることが望ましい。内側係止部材３１Ａが外装シート（バックシート２４）から剥がれる際には、内側係止部材３１Ａの外周縁、特に、内側係止部材３１Ａが矩形状である場合には、角（かど）の部分が起点となって剥がれが生じる可能性が高い。したがって、当該部分での係止を強固にすることで、ベルト部材３０をより離脱させ難くすることができる。本実施形態では、内側係止部材３１Ａの長手方向外側端部かつ幅方向の両端部に一対の追加接合部７１，７１が設けられていることから、内側係止部材３１Ａの角（かど）の部分において外装シート（バックシート２４）との係止が強くなり、ベルト部材３０の離脱を抑制しやすい。
【００６１】
さらに、内側係止部材３１Ａの長手方向の外側端と幅方向の両端との交点である角３１Ａｃ１，３１Ａｃ２において、追加接合部７０が形成されていることがより望ましい。すなわち、内側係止部材３１Ａの角３１Ａｃ１，３１Ａｃ２が外装シート（バックシート２４）と接合されていることが望ましい。このようにすれば、角３１Ａｃ１，３１Ａｃ２において、内側係止部材３１Ａと外装シート（バックシート２４）とが厚さ方向に隙間なく接合されるため、係止が剥がれる起点が形成され難く、ベルト部材３０の離脱をより抑制しやすくなる。
【００６２】
ところで、おむつ１では、上述のように本体部１０の前部３及び後部７において、ベルト部材３０が自由に取り付け、取り外しできることにより、おむつ１の着脱時に低体重児の身体に負担がかからないようにしている。したがって、内側係止部材３１Ａを外装シート（バックシート２４）に接合している追加接合部７０は、人の力で簡単に剥がせる必要がある。すなわち、追加接合部７０は、外装シート（バックシート２４）に対してベルト部材３０を剥離可能なように接合している必要がある。本実施形態では、図５で示されるように、内側係止部材３１Ａの一部にドット状の追加接合部７１，７１が設けられている。このような追加接合部７０（７１）は、おむつを着用させる際にベルト部材３０とマットとの間に作用する摩擦力程度の力（図６参照）では剥がれ難い。一方、おむつを脱がせる際に、人がベルト部材３０を強く引っ張ることにより、簡単に剥がすことができる。
【００６３】
なお、ベルト部材３０を本体部１０の後部７から取り外す際には、一方の手で本体部１０を掴み、他方の手でベルト部材３０の幅方向の端部を掴んで、それぞれ幅方向の反対側に引っ張ることにより、係止部材３１（内側係止部材３１Ａ）を剥がす動作が行われる。したがって、追加接合部７０は、幅方向に沿った力が作用した時に剥がれやすいことが望ましい。一方、図６で説明したおむつ１の着用動作時には、係止部材３１（内側係止部材３１Ａ）に対して長手方向に沿った力が作用することから、追加接合部７０は、長手方向に沿った力が作用した時には剥がれ難いことが望ましい。
【００６４】
そこで、おむつ１では、ベルト部材３０において追加接合部７０が幅方向に占めている長さの合計値σＷ７０が、長手方向に占めている長さの合計値σＬ７０よりも長くなるように追加接合部７０が形成されている（σＷ７０＞σＬ７０）。図５の例では、一対の追加接合部７１，７１が幅方向に占めている長さの合計値σＷ７１（＝２Ｗ７１）が、一対の追加接合部７１，７１が長手方向占めている長さの合計値σＬ７１（＝Ｌ７１）よりも大きくなっている（σＷ７１＞σＬ７１）。
【００６５】
このような構成であれば、ベルト部材３０の長手方向において追加接合部７０によって接合されている領域が小さいため、ベルト部材３０を幅方向に沿って引っ張った時には、追加接合部７０が剥がれやすい。一方、ベルト部材３０の幅方向において追加接合部７０によって接合されている領域が大きいため、ベルト部材３０を長手方向に沿って引っ張った時には、追加接合部７０が剥がれ難い。
【００６６】
図７Ａ〜図７Ｃは、追加接合部７０の変形例について表す概略平面図である。
図７Ａでは、図５の追加接合部７１と同形状の追加接合部７３，７３…が、幅方向に沿って複数並んで設けられている。そして、同図７Ａの場合も、ベルト部材３０において追加接合部７３が幅方向に占めている長さの合計値σＷ７３は、追加接合部７３が長手方向に占めている長さの合計値σＬ７３よりも長くなっている（σＷ７３＞σＬ７３）。したがって、ベルト部材３０の追加接合部７３は、おむつ１を着用させる際に長手方向に沿った力が作用した場合には剥がれ難い。一方、おむつ１を脱がせる際にベルト部材３０に幅方向に沿った力が作用した場合には剥がれやすい。
【００６７】
図７Ｂでは、図５の追加接合部７１と比較して、幅方向に長い略楕円形の追加接合部７４，７４が設けられている。同図７Ｂの場合、ベルト部材３０において追加接合部７４が幅方向に占めている長さの合計値σＷ７４が、長手方向に占めている長さの合計値σＬ７４よりも長くなっている（σＷ７４＞σＬ７４）。さらに、各々の追加接合部７４についても、幅方向に占めている長さＷ７４が、長手方向に占めている長さＬ７４よりも長いため（Ｗ７４＞Ｌ７４）、ベルト部材３０の追加接合部７４は、おむつ１を着用させる際に長手方向に沿った力が作用した場合に、より剥がれ難くなる。
【００６８】
図７Ｃでは、図７Ｂの追加接合部７４よりもさらに幅方向に長い、略楕円形の追加接合部７５が一つだけ設けられている。同図７Ｃの場合も、ベルト部材３０において追加接合部７５が幅方向に占めている長さの合計値σＷ７５が、長手方向に占めている長さの合計値σＬ７５よりも長くなっている（σＷ７５＞σＬ７５）。さらに、図７Ｂと同様に追加接合部７５の単体でも、幅方向に占めている長さＷ７５が、長手方向に占めている長さＬ７５よりも長い（Ｗ７５＞Ｌ７５）。したがって、ベルト部材３０の追加接合部７５は、おむつ１を着用させる際に長手方向に沿った力が作用した場合に、より剥がれ難くなる。
【００６９】
また、上述の例では、ベルト部材３０において追加接合部７０が内側係止部材３１Ａと重複した位置に設けられていたが、追加接合部７０が内側係止部材３１Ａと重複しない位置に設けられていても良い。図８は、追加接合部７０が幅方向において内側係止部材３１Ａの両外側に設けられている場合について示す概略平面図である。
【００７０】
図８では、長手方向においてベルト部材３０の中央よりも外側、かつ、幅方向において内側係止部材３１Ａの内側端３１Ａｅｉよりも内側に、黒丸で示される追加接合部７６が設けられている。同様に、長手方向においてベルト部材３０の中央よりも外側、かつ、幅方向において内側係止部材３１Ａの外側端３１Ａｅｏよりも外側に、黒丸で示される追加接合部７７が設けられている。なお、図８に示される追加接合部７６と追加接合部７７とは同じ形状を有しているが、互いに異なる形状を有していても良い。
【００７１】
図８のように、内側係止部材３１Ａと重複しない位置に追加接合部７０が設けられている場合であっても、図５及び図６で説明した追加接合部７１と同様の効果を得ることができる。すなわち、低体重児におむつ１を着用させる際に、低体重児の身体とマットとの間におむつ１を挿入する動作を行っても、内側係止部材３１Ａが外装シート（バックシート２４）から剥がれ難く、ベルト部材３０が本体部１０から離脱することを抑制できる。また、内側係止部材３１Ａの表面のフック(不図示)が溶着によって傷ついたり潰れたりし難くなる。したがって、内側係止部材３１Ａを外装シート（バックシート２４）から剥がした後で、再度係止させる際に、係止力が弱くなることが抑制される。
【００７２】
また、ベルト部材３０において、追加接合部７６と追加接合部７７とが幅方向に占めている長さの合計値Ｗ７６＋Ｗ７７は、追加接合部７６と追加接合部７７とが長手方向に占めている長さの合計値Ｌ７６（≒Ｌ７７）よりも長い。したがって、上述の場合と同様、追加接合部７６及び追加接合部７７は、おむつ１を着用させる際に長手方向に沿った力が作用した場合には剥がれ難く、おむつ１を脱がせる際に幅方向に沿った力が作用した場合には剥がれやすい。
【００７３】
なお、追加接合部７０が内側係止部材３１Ａと重複しない位置に設けられる場合であっても、該追加接合部７０は、内側係止部材３１Ａの外周縁になるべく近くに配置されていることが望ましい。図８の幅方向において、内側係止部材３１Ａよりも内側の追加接合部７６は、ベルト部材３０の内側端よりも、内側係止部材３１Ａの内側端に近い位置に配置されている。言い換えると、幅方向において、ベルト部材３０の内側端３０ｅｉと追加接合部７６の中心位置との間の距離Ｌ１は、追加接合部７６の中心位置と内側係止部材３１Ａの内側端３１Ａｅｉとの間の距離Ｌ２よりも長い（Ｌ１＞Ｌ２）。これにより、おむつ１の着用動作時に、内側係止部材３１Ａの内側端３１Ａｅｉ（角３１Ａｃ１）が剥がれ難くなり、ベルト部材３０が本体部１０から離脱することが抑制される。
【００７４】
同様に、幅方向において、内側係止部材３１Ａよりも外側の追加接合部７７は、ベルト部材３０の外側端よりも、内側係止部材３１Ａの外側端に近い位置に配置されている。言い換えると、幅方向において、バックシート２４（外装シート）の外側端２４ｅｏと追加接合部７７の中心位置との間の距離Ｒ１は、追加接合部７７の中心位置と内側係止部材３１Ａの外側端３１Ａｅｏとの間の距離Ｒ２よりも長い（Ｒ１＞Ｒ２）。これにより、おむつ１の着用動作時に、内側係止部材３１Ａの外側端３１Ａｅｏ（角３１Ａｃ２）が剥がれ難くなり、ベルト部材３０が本体部１０から離脱することが抑制される。
【００７５】
＜おむつの変形例＞
上述の実施形態では、おむつ１の本体部１０が図１のような略長方形状を有している例について説明したが、おむつ１の構成を以下のように変形しても良い。図９は、おむつ１の変形例として、展開かつ伸長させた状態のおむつ２について表す平面図である。図１０は、おむつ２の後部７の分解説明図である。
【００７６】
おむつ２の本体部１０は、中央帯状領域１２と、サイドフラップ１４とを有する。中央帯状領域１２は、前部３、股下部５及び後部７によって構成された幅方向の中央部に位置する帯状の領域であり、おむつ１における本体部１０に相当する領域である。中央帯状領域１２は、主に、吸収体２１、トップシート２２、防漏シート２３及びバックシート２４（外装シート）を有する。
【００７７】
サイドフラップ１４は、中央帯状領域１２の幅方向の両側部に位置する部位である。サイドフラップ１４は、前部３、股下部５及び後部７にわたって形成されている。股下部５におけるサイドフラップ１４の幅方向の長さ（幅）は、前部３及び後部７におけるサイドフラップ１４の幅方向の長さ（幅）よりも狭い。サイドフラップ１４は、主に、サイドシート２６とバックシート２４から構成されている（図１０参照）。
【００７８】
一対のサイドフラップ１４には、長手方向に沿って伸縮するサイドフラップ弾性部材１５がそれぞれ設けられている。サイドフラップ弾性部材１５は、長手方向に沿って伸縮する糸ゴム等の弾性部材であり、おむつ２の着用時において、脚回り開口部に伸縮性を付与する部材である。すなわち、サイドフラップ弾性部材１５はおむつ２の脚繰り部を着用者の脚に合わせてフィットさせる脚回り弾性部材である。また、サイドフラップ弾性部材１５が股下部５のサイドシート２６及びバックシート２４に伸縮性を付与することによって、レッグギャザーが構成される。
【００７９】
おむつ２において、ベルト部材３０は、おむつ２の後部７においてサイドフラップ１４の幅方向の両側部に配置されている（図９参照）。ベルト部材３０の構成は、おむつ１と同様であり、幅方向の両側に面ファスナー等からなる係止部材３１（３１Ａ，３１Ｂ）を備え、幅方向内側に配置された内側係止部材３１Ａによって、サイドフラップ１４の非肌側、すなわちバックシート２４（外装シート）に係止されている。そして、追加接合部７０によってベルト部３０の一部とサイドフラップ１４（バックシート２４）とが接合されている。
【００８０】
追加接合部７０の構成及び機能は、おむつ１と同様である。すなわち、追加接合部７０が設けられていることにより、低体重児におむつ２を着用させる際に、図４Ｂで説明したように、長手方向においてベルト部材３０の外側端が捲れてしまうことが抑制される。これにより、内側係止部材３１Ａが外装シート（バックシート２４）から剥がれ難くなり、おむつ２の着用動作を通してベルト部材３０がサイドフラップ１４から離脱することが抑制される。
【００８１】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００８２】
１  使い捨ておむつ（おむつ）、
２  使い捨ておむつ（おむつ）、
３  前部、５  股下部、７  後部、
１０  本体部、
１２  中央帯状領域、
１４  サイドフラップ、
１５  サイドフラップ弾性部材、
２１  吸収体、２１ａ  吸収性コア、２１ｂ  コアラップシート、
２２  トップシート、２３  防漏シート、
２４  バックシート（外装シート）、
２５  脚回り弾性部材、
２６  サイドシート、
２７  ＬＳＧ弾性部材、
３０  ベルト部材、
３１  係止部材、
３１Ａ  内側係止部材、３１Ｂ  外側係止部材、
７０  追加接合部、
７１〜７７  追加接合部、
１００  使い捨ておむつ（比較例）
【図１】
2020000906.tif 000003
【図２】
2020000906.tif 000004
【図３】
2020000906.tif 000005
【図４】
2020000906.tif 000006
【図５】
2020000906.tif 000007
【図６】
2020000906.tif 000008
【図７】
2020000906.tif 000009
【図８】
2020000906.tif 000010
【図９】
2020000906.tif 000011
【図１０】
2020000906.tif 000012